(57)【要約】【課題】  入力されている映像を光ディスクに記録している記録中にエンコード率の設定変更が簡単に行え、映像を記録する光ディスクの記録容量を有効に利用できる記録装置を提供する。【解決手段】  記録装置１は、入力部３に入力されたＡＶ信号を一旦副記録媒体に記録し、一定時間以上遅れて光ディスク１０に記録するので、第２のエンコード部７がエンコード率の設定変更が行われたときに入力部３に入力されていたＡＶ信号のエンコードを行うまでに、時間的ズレがある。このため、エンコード率の設定変更を受け付けたときに入力部３に入力されていたＡＶ信号に対するエンコード率の設定変更がスムーズに行え、エンコード率の設定変更を受け付けたときに入力部３に入力されていたＡＶ信号にかかるＡＶデータの記録が途切れる等の問題も生じない。【選択図】  図１
2006134431.tif 000002
【特許請求の範囲】
【請求項１】
入力された映像を光ディスクに記録する記録手段を備えた記録装置において、
映像の入力を受け付ける映像入力受付手段と、
前記映像入力受付手段が受け付けた映像をエンコードする第１のエンコード手段と、
前記第１のエンコード手段がエンコードした映像データを副記録媒体に記録する副記録手段と、
前記副記録手段により前記副記録媒体に記録された映像データをデコードするデコード手段と、
前記デコード手段がデコードした映像データを、設定されているエンコード率でエンコードする第２のエンコード手段と、
前記第２のエンコード手段におけるエンコード率の設定入力を受け付けるエンコード率受付手段と、を備え、
前記記録手段は、前記第２のエンコード手段がエンコードした映像データを前記光ディスクに記録する手段であり、
前記第１のエンコード手段は、前記映像入力受付手段が受け付けた映像を所定のエンコード率でエンコードする手段であり、
前記デコード手段は、予め定められた一定時間以上前に、前記映像入力受付手段が入力を受け付けた映像にかかる映像データをデコードする手段であり、
前記第２のエンコード手段は、前記エンコード率受付手段がエンコード率の設定変更にかかる入力を受け付けたとき、これ以降に前記映像入力受付手段が受け付けた映像について設定変更されたエンコード率でエンコードする手段であり、
前記副記録手段は、前記デコード手段によりデコードされた映像データを削除する機能を有し、
前記エンコード率受付手段は、予め段階的に定められているエンコード率の選択を受け付ける手段であり、
前記第１のエンコード手段は、予め段階的に定められているエンコード率の中で、最低のエンコード率で前記映像入力受付手段が受け付けた映像をエンコードする手段であり、
さらに、前記エンコード率受付手段は、前記デコード手段がデコードした映像データについて、前記記録手段による光ディスクへの記録を禁止する設定入力を受け付ける手段である記録装置。
【請求項２】
入力された映像を光ディスクに記録する記録手段を備えた記録装置において、
映像の入力を受け付ける映像入力受付手段と、
前記映像入力受付手段が受け付けた映像をエンコードする第１のエンコード手段と、
前記第１のエンコード手段がエンコードした映像データを副記録媒体に記録する副記録手段と、
前記副記録手段により前記副記録媒体に記録された映像データをデコードするデコード手段と、
前記デコード手段がデコードした映像データを、設定されているエンコード率でエンコードする第２のエンコード手段と、
前記第２のエンコード手段におけるエンコード率の設定入力を受け付けるエンコード率受付手段と、を備え、
前記記録手段は、前記第２のエンコード手段がエンコードした映像データを前記光ディスクに記録する手段であり、
前記第１のエンコード手段は、前記映像入力受付手段が受け付けた映像を所定のエンコード率でエンコードする手段であり、
前記デコード手段は、予め定められた一定時間以上前に、前記映像入力受付手段が入力を受け付けた映像にかかる映像データをデコードする手段であり、
前記第２のエンコード手段は、前記エンコード率受付手段がエンコード率の設定変更にかかる入力を受け付けたとき、これ以降に前記映像入力受付手段が受け付けた映像について設定変更されたエンコード率でエンコードする手段である記録装置。
【請求項３】
前記副記録手段は、前記デコード手段によりデコードされた映像データを削除する機能を有する請求項２に記載の記録装置。
【請求項４】
前記エンコード率受付手段は、予め段階的に定められているエンコード率の選択を受け付ける手段であり、
前記第１のエンコード手段は、予め段階的に定められているエンコード率の中で、最低のエンコード率で前記映像入力受付手段が受け付けた映像をエンコードする手段である請求項２、または３に記載の記録装置。
【請求項５】
前記エンコード率受付手段は、前記デコード手段がデコードした映像データについて、前記記録手段による光ディスクへの記録を禁止する設定入力を受け付ける手段である請求項２〜４のいずれかに記載の記録装置。
【発明の詳細な説明】
【技術分野】
【０００１】
この発明は、ＣＤ，ＤＶＤ等の光ディスクに映像を記録する記録装置に関し、特に光ディスクに記録する映像についてエンコード率の設定が行える記録装置に関する。
【背景技術】
【０００２】
従来、外部から入力されている映像を、ＣＤやＤＶＤ等の光ディスクに記録する記録装置が実用化され、一般に普及している。この種の記録装置は、入力された映像にかかる映像データをＭＰＥＧ等でエンコード（圧縮）し、エンコードしたデータを光ディスクに記録している。エンコード率を大きくすると、エンコードされた映像データの容量が小さくなるので、光ディスクに記録できる記録時間については長くなるが、記録した映像データを再生したときの再生映像の画質が低下する。そこで、ユーザが記録する映像のエンコード率を設定できる構成の記録装置や、録画する番組の時間長とこの番組を記録する光ディスク（本体にセットされている光ディスク）の空き容量とに応じてエンコード率を設定変更する構成の記録装置（特許文献１参照）や、さらにはユーザの視聴履歴に基づいて、ユーザが視聴する可能性が高い番組については比較的低いエンコード率を設定し、その他の番組（ユーザが視聴する可能性の低い番組）については比較的高いエンコード率を設定する構成の記録装置（特許文献２参照）等が提案されている。
【特許文献１】特開平９−２８４７１５号公報
【特許文献２】特開２００４−１８６８４５号公報
【発明の開示】
【発明が解決しようとする課題】
【０００３】
しかしながら、従来の記録装置は入力されている映像を光ディスクに記録している記録途中に、ユーザがエンコード率の設定を変更することができなかった。このため、テレビ放送されている番組を光ディスクに記録する場合、この記録する番組の間で放送されるコマーシャルや、番組の解説（例えば映画の解説）等のユーザが不必要とする部分についても、番組本編と同じエンコード率で光ディスクに記録される。通常、ユーザが高画質の映像で光ディスクに記録したいのは番組本編であり、番組本編の解説やコマーシャル等の映像については低画質（高いエンコード率）で記録しても問題がない。このように、従来の記録装置は、ユーザにとって高画質の映像で記録する必要のない部分まで、番組本編と同じエンコード率で光ディスクに記録されることから、光ディスクの記録容量を効率的に利用することができず、ユーザにとって使い勝手がよくないという問題があった。
【０００４】
この発明の目的は、入力されている映像を光ディスクに記録している記録中にエンコード率の設定変更が簡単に行え、映像を記録する光ディスクの記録容量を有効に利用できる記録装置を提供することにある。
【課題を解決するための手段】
【０００５】
この発明の記録装置は、上記課題を解決するために、以下の構成を備えている。
【０００６】
（１）入力された映像を光ディスクに記録する記録手段を備えた記録装置において、
映像の入力を受け付ける映像入力受付手段と、
前記映像入力受付手段が受け付けた映像をエンコードする第１のエンコード手段と、
前記第１のエンコード手段がエンコードした映像データを副記録媒体に記録する副記録手段と、
前記副記録手段により前記副記録媒体に記録された映像データをデコードするデコード手段と、
前記デコード手段がデコードした映像データを、設定されているエンコード率でエンコードする第２のエンコード手段と、
前記第２のエンコード手段におけるエンコード率の設定入力を受け付けるエンコード率受付手段と、を備え、
前記記録手段は、前記第２のエンコード手段がエンコードした映像データを前記光ディスクに記録する手段であり、
前記第１のエンコード手段は、前記映像入力受付手段が受け付けた映像を所定のエンコード率でエンコードする手段であり、
前記デコード手段は、予め定められた一定時間以上前に、前記映像入力受付手段が入力を受け付けた映像にかかる映像データをデコードする手段であり、
前記第２のエンコード手段は、前記エンコード率受付手段がエンコード率の設定変更にかかる入力を受け付けたとき、これ以降に前記映像入力受付手段が受け付けた映像について設定変更されたエンコード率でエンコードする手段である。
【０００７】
この構成では、第１のエンコード手段が映像入力受付手段で受け付けた映像をエンコードし、副記録手段がこのエンコードされた映像データを副記録媒体に記録する。デコード手段は、映像入力受付手段が受け付けてから予め定められている一定時間以上経過している映像について副記録媒体に記録されている映像データをデコードする。。第２のエンコード手段は、このデコードされた映像データを設定されているエンコード率でエンコードし、記録手段がこの第２のエンコード手段によりエンコードされた映像データを光ディスクに記録する。このように、映像受付手段が受け付けた映像は副記録媒体に一旦記録し、その後光ディスクに記録する。
【０００８】
また、第２のエンコード手段は、エンコード率設定手段がエンコード率の設定変更にかかる入力を受け付けると、これ以降に映像入力受付が受け付けた映像のエンコード率を今回設定変更されたエンコード率に切り替える。上述したように、映像入力受付手段が受け付けた映像は、副記録媒体に一旦記録し、その後光ディスクに記録するので、エンコード率の設定変更にかかる入力を受け付けたときに、映像入力受付手段が受け付けていた映像を、第２のエンコード手段がエンコードを行うまでに、時間的ズレがある。このため、エンコード率の設定変更を受け付けた以降に、映像入力受付手段が受け付けた映像のエンコード率をスムーズに切り替えることができる。したがって、光ディスクに映像を記録している途中に、記録している映像のエンコード率を切り替えることができる。これにより、ユーザは、例えば放送されている番組を記録しているときに、番組からコマーシャルや番組本編の解説等、ユーザの不要な部分に替わったタイミングでエンコード率を高く設定する操作を行い、ユーザの不要な部分から番組本編に替わったときにエンコード率を低く設定する操作を行うことで、光ディスクに対して番組を高画質で記録し、この番組の間で放送されているコマーシャルや番組本編の解説等のユーザにとって不要な部分を低画質で記録することができ、光ディスクの記録容量を効率的に利用できる。
【０００９】
（２）前記副記録手段は、前記デコード手段によりデコードされた映像データを削除する機能を有する。
【００１０】
この構成では、副記録媒体に無用な映像データがいつまでも記録されつづけることがなく、副記録媒体の記録容量を効率的に利用でき、副記録媒体に必要な記録容量が抑えられる。
【００１１】
なお、デコード手段がデコードした映像データは、その後光ディスクに記録されるので、副記録媒体から削除しても何ら問題はない。
【００１２】
（３）前記エンコード率受付手段は、予め段階的に定められているエンコード率の選択を受け付ける手段であり、
前記第１のエンコード手段は、予め段階的に定められているエンコード率の中で、最低のエンコード率で前記映像入力受付手段が受け付けた映像をエンコードする手段である。
【００１３】
この構成では、第１のエンコード手段が予め定められているエンコード率の中で、最低のエンコード率（再生映像の画質の低下が最小であるエンコード率）でエンコードする。したがって、第２のエンコード手段が光ディスクに記録する映像データをエンコードする前段階の処理での画質の低下を抑えることができる。
【００１４】
（４）前記エンコード率受付手段は、前記デコード手段がデコードした映像データについて、前記記録手段による光ディスクへの記録を禁止する設定入力を受け付ける手段である。
【００１５】
この構成では、光ディスクへの映像データの記録の禁止が行えるので、録画している番組の間に放送されるコマーシャルの映像を光ディスクに記録させない操作が行える。これにより、光ディスクの記録容量を一層効率的に利用することができる。
【発明の効果】
【００１６】
この発明によれば、光ディスクに映像を記録している途中に、記録している映像のエンコード率を切り替えることができる。これにより、ユーザは、光ディスクに番組を高画質で記録し、この番組の間に放送されるコマーシャルや番組本編の解説等、ユーザにとって不要な部分を低画質で記録することができ、光ディスクの記録容量を効率的に利用できるようになり、ユーザにおける使い勝手の向上が図れる。
【発明を実施するための最良の形態】
【００１７】
以下、この発明の実施形態である記録装置について説明する。
【００１８】
図１は、この発明の実施形態である記録装置の主要部の構成を示す図である。この実施形態の記録装置１は、本体の動作を制御する制御部２と、ＡＶ信号（Ａｕｄｉｏ  Ｖｉｓｕａｌ信号）が入力される入力部３と、入力部３に入力されたＡＶ信号（映像信号、および音声信号）をエンコードする第１のエンコード部４と、第１のエンコード部４でエンコードされたＡＶデータを一時的に副記録媒体に記録する副記録部５と、副記録媒体に記録されているＡＶデータをデコードするデコード部６と、デコード部６がデコードしたＡＶデータを再度エンコードする第２のエンコード部７と、第２のエンコード部７でエンコードされたＡＶデータをＤＶＤ等の光ディスク１０に記録する記録部８と、本体に対する入力操作を受け付ける操作部９と、を備えている。
【００１９】
入力部３は、テレビ放送信号を受信し、選択されているチャンネルのテレビ放送信号を抽出する周知のチューナである。第１のエンコード部４は、入力部３で抽出されたチャンネルのＡＶ信号を画質の低下が小さいエンコード率でエンコードする。第１のエンコード部４に対するエンコード率は固定であり、ユーザが変更することはできない。副記録部５は、副記録媒体としてハードディスクを有し、第１のエンコード手段がエンコードしたＡＶデータを、このハードディスクに記録する。副記録部５は、第１のエンコード手段がエンコードしたＡＶデータをハードディスク以外の種類の記録媒体、例えば光ディスクやメモリ、に記録する構成であってもよい。
【００２０】
デコード部６は、入力部３に入力されてから予め定められている一定時間以上経過しているＡＶ信号にかかるＡＶデータ（副記録媒体に記録されているＡＶデータ）をデコードする。第２のエンコード７は、デコード部６でデコードされたＡＶデータを設定されているエンコード率でエンコードする。第２のエンコード部７におけるエンコード率については、ユーザが予め段階的に定められている５段階のエンコード率（Ｅ１〜Ｅ５）の中から選択することができる。ここでは、Ｅ１が最小のエンコード率であり、Ｅ５が最大のエンコード率である。第２のエンコード部７におけるエンコード率の設定は操作部９で行える。操作部９には、本体に対する入力操作を行うキーに加えて、図示していないリモコン装置から送信されてきた制御信号を受信する受信部を有している。ユーザは、図示していないリモコン装置で第２のエンコード部７におけるエンコード率の設定にかかる操作を行うこともできる。操作部９にはエンコード率Ｅ１〜Ｅ５を選択するときに操作するキーが個別に設けられており、ユーザはキーのワンタッチ操作で第２のエンコード部７におけるエンコード率を設定できる。また、リモコン装置にも同様にエンコード率Ｅ１〜Ｅ５を選択するときに操作するキーが個別に設けられている。また、第１のエンコード部４におけるエンコード率はＥ１であり、上述したように固定である。記録部８は、第２のエンコード部７でエンコードされたＡＶデータを光ディスク１０に記録する。記録部８は、光ディスク１０に記録されているＡＶデータを読み取る機能も有している。デコード部６は、記録部８が光ディスク１０から読み取ったＡＶデータをデコードし、デコードしたＡＶデータを外部に出力する機能を有している。また、入力部３は入力されているＡＶ信号を外部に出力する機能を有している。この記録装置１に接続されたテレビ受像機等で、入力部３に入力されたＡＶ信号に基づく映像や音声、記録部８が光ディスク１０から読み取ったＡＶデータに基づく映像や音声の視聴が行える。
【００２１】
この実施形態の記録装置１は、上記の構成により、入力部３に入力されたＡＶ信号を、第１のエンコード部４がＥ１のエンコード率でエンコードし、このエンコードされたＡＶデータを副記録部５が副記録媒体に記録する。この処理を、ここでは前段部の処理と言う。また、デコード部６が入力部３に入力されてから一定時間以上経過している、副記録媒体に記録されているＡＶデータをデコードし、第２のエンコード部７がこのデコードされたＡＶデータを設定されているエンコード率でエンコードし、記録部８が第２のエンコード部７でエンコードされたＡＶデータを光ディスク１０に記録する。この処理を、ここでは後端部の処理と言う。このように、この記録装置１は、前段部において入力部３に入力されたＡＶ信号にかかるＡＶデータを副記録媒体に一旦記録し、後端部が入力から一定時間以上遅れて光ディスク１０に記録する。
【００２２】
また、副記録媒体５は、デコード部６がデコードしたＡＶデータを削除する機能を有している。
【００２３】
次に、この実施形態の記録装置１における記録動作について説明する。図２、３は、この実施形態の記録装置の記録動作を示すフローチャートであり、図２は記録装置の前段部の処理を示し、図３は記録装置の後段部の処理を示す。図２に示す処理と、図３に示す処理とは並列に実行される処理である。ここで言う前段部の処理は入力部３、第１のエンコード部４、および副記録部５により行われる処理であり、後段部の処理は副記録部５、デコード部６、第２のエンコード部７、および記録部８により行われる処理である。
【００２４】
まず、前段部の処理について説明する。記録装置１は、第１のエンコード部４において入力部３から入力されているＡＶ信号をＥ１のエンコード率でエンコードするのを開始する（ｓ１）。このとき、入力部３は選択されているチャンネルのテレビ放送信号を抽出し、これをＡＶ信号として出力している。副記録部５は、第１のエンコード部４でエンコードされたＡＶデータを副記録媒体に記録する処理を開始する（ｓ２）。記録装置１は、操作部９においてエンコード率の設定変更にかかる入力操作が行われるか、記録動作完了のタイミングになるのを待つ（ｓ３、ｓ４）。この記録動作完了のタイミングは、操作部９において記録動作完了にかかる入力操作がユーザにより行われたときや、予約録画の完了時刻になったときである。記録装置１は、記録動作完了のタイミングになると、ｓ１、およびｓ２で開始した処理を停止し（ｓ５、ｓ６）、本処理を終了する。
【００２５】
ｓ４で、操作部９においてエンコード率の設定変更にかかる入力操作が行われた場合については、後述する。
【００２６】
このように、前段部では、第１のエンコード部４においてエンコード率が最小のＥ１でＡＶ信号をエンコードし、エンコードしたＡＶデータを副記録部５に記録するので、映像の画質を殆ど低下させていない画質で（入力部３に入力されたＡＶ信号による映像と同等の画質で）副記録媒体にＡＶデータを記録することになる。
【００２７】
また、後段部側は、前段部側における記録動作が開始されてから、一定時間経過（例えば、３０秒程度）経過するの待つ（ｓ１１）。記録装置１は、ｓ１１で一定時間経過したと判定すると、副記録部５が入力部３に入力されてから一定時間以上経過しているＡＶ信号にかかるＡＶデータを、副記録部から時系列に読み出してデコード部６へ出力する処理を開始する（ｓ１２）。副記録部５は、ｓ１２でデコード部６へ出力したＡＶデータを副記録媒体から削除する処理も行う。後述するように、副記録部５がデコード部６へ出力したＡＶデータは光ディスク１０に記録されるので、このＡＶデータを削除しても何ら問題は生じない。また、副記録媒体に無用なＡＶデータがいつまでも残らないので、副記録媒体の記録容量を効率的に利用することができ、この副記録媒体に必要な記憶容量を抑えることができる。これにより、装置本体のコストアップも抑えられる。
【００２８】
デコード部６は、副記録部５から入力されたＡＶデータをデコードし、デコードしたＡＶデータを第２のエンコード部７へ出力する処理を開始する（ｓ１３）。また、第２のエンコード部７は、デコード部６から入力されたＡＶデータを設定されているエンコード率（Ｅ１〜Ｅ５のいずれか）でエンコードし、エンコードしたＡＶデータを記録部８へ出力する処理を開始する（ｓ１４）。さらに、記録部８は、第２のエンコード部７から入力されたＡＶデータを光ディスク１０に記録する処理を開始する（ｓ１５）。この説明から明らかなように、記録部８に記録されるＡＶデータ（第２のエンコード部７でエンコードされたＡＶデータ）は、一定時間以上前に入力部３に入力されたＡＶ信号にかかるデータである。
【００２９】
記録装置１は、ｓ１５で記録部８による光ディスク１０へのＡＶデータの記録を開始すると、操作部９においてエンコード率の設定変更にかかる入力操作が行われるか、今回の記録動作で副記録部５が副記録媒体に記録したＡＶデータを全て読み出し、光ディスク１０に記録した状態（記録完了状態）になるのを待つ（ｓ１６、ｓ１７）。
【００３０】
制御部２は、操作部９においてエンコード率の設定変更にかかる入力操作があると、第１のエンコード部４に対してこの時点で入力部３から入力されているＡＶ信号をエンコードしたデータに、エンコード率の変更位置を示す情報を付加することを指示する。また、第２のエンコード部７に対してエンコード率の変更があること、および変更後のエンコード率を通知する。
【００３１】
前段部では、第１のエンコード４が制御部２からの指示にしたがって、エンコードしたデータにエンコード率の変更位置を示す情報を付加し（ｓ７）、ｓ３に戻る。副記録部５は、この付加されたエンコード率の変更位置を示す情報も副記録媒体に記録する。
【００３２】
後段部では、第２のエンコード部７がデコード部６から入力されているＡＶ信号に付加されている、エンコード率の変更位置を示す情報を検出するの待つ（ｓ２１）。ｓ２１でエンコード率の変更位置を示す情報を検出すると、第２のエンコード部７がこれ以降入力されるＡＶデータに対するエンコード率を、今回制御部２から指示されたエンコード率に変更し（ｓ２２）、ｓ１６に戻る。
【００３３】
このエンコード率の設定変更にかかる操作は、上述したようにエンコード率Ｅ１〜Ｅ５毎に設けられたキーのワンタッチ操作で行える。例えば、ユーザはテレビ放送が番組本編からコマーシャルや番組本編の解説等、ユーザにとって不要な部分に替わったときに、番組本編を録画しているときよりも高いエンコード率を選択するキー操作を行い、コマーシャルから番組本編に替わったときに元のエンコード率（先に番組本編を録画していたときのエンコード率）を選択するキー操作を行う。ユーザは、このような操作行うことで、番組本編については比較的低いエンコード率で再生時の映像の画質を低下させない記録が行え、番組の間で放送されているユーザにとって不必要な部分については比較的高いエンコード率で記録容量を抑えた記録が行える。したがって、光ディスク１０の記録容量を効率的に利用することができ、ユーザの使い勝手を向上させることができる。また、入力部３に入力されたＡＶ信号を一旦副記録媒体に記録し、一定時間以上遅れて光ディスク１０に記録するので、第２のエンコード部７がエンコード率の設定変更が行われたときに入力部３に入力されていたＡＶ信号のエンコードを行うまでに、時間的ズレがある。このため、エンコード率の設定変更を受け付けたときに入力部３に入力されていたＡＶ信号に対するエンコード率の設定変更がスムーズに行え、エンコード率の設定変更を受け付けたときに入力部３に入力されていたＡＶ信号にかかるＡＶデータの記録が途切れる等の問題も生じない。
【００３４】
後段部では、記録完了状態になると、副記録部５、デコード部６、第２のエンコード部７、記録部８の動作を停止し、本処理を終了する（ｓ１８〜ｓ２１）。
【００３５】
また、上記実施形態では、光ディスク１０に記録するＡＶデータのエンコード率の変更のみ行える構成としたが、光ディスク１０へのＡＶデータの記録を禁止する設定も行えるようにしてもよい。例えば、上記じた実施形態におけるエンコード率Ｅ５を光ディスク１０へのＡＶデータの記録を禁止する設定とし、図４に示すように、このエンコード率Ｅ５にかかる設定入力があったときには（ｓ３１）、記録部８が光ディスク１０へのＡＶデータの記録を一時停止する（ｓ３２）。その後、再度エンコード率の変更操作が行われ、エンコード率Ｅ１〜Ｅ４の設定変更位置になるの待つて（ｓ３３）、記録部８における光ディスク１０へのＡＶデータの記録の一時停止を解除する（ｓ３４）。その後、ｓ２２で今回設定されたエンコード率に変更し、ｓ１６に戻る。
【００３６】
このようにすれば、ユーザは番組本編の間に放送されるコマーシャルにかかるＡＶデータを光ディスク１０に記録させないことができ、光ディスク１０の記録容量を一層効率的に利用できる。
【００３７】
なお、上記説明では記録部８における光ディスク１０への記録のみ停止するとしたが、第２のエンコード部７におけるエンコード処理や、デコード部６におけるデコード処理等も停止させるようにしてもよい。
【図面の簡単な説明】
【００３８】
【図１】この発明の実施形態である記録装置の主要部の構成を示す図である。
【図２】この発明の実施形態の記録装置の前段部における記録動作を示すフローチャートである。
【図３】この発明の実施形態の記録装置の後段部における記録動作を示すフローチャートである。
【図４】この発明の別の実施形態の記録装置の後段部における記録動作を示すフローチャートである。
【符号の説明】
【００３９】
１−記録装置
２−制御部
３−入力部
４−第１のエンコード部
５−副記録部
６−デコード部
７−第２のエンコード部
８−記録部
９−操作部
１０−光ディスク
【図１】
2006134431.tif 000003
【図２】
2006134431.tif 000004
【図３】
2006134431.tif 000005
【図４】
2006134431.tif 000006